(57)【特許請求の範囲】
【請求項１】
下端を底部で塞いだ四角筒状の胴部の上端に、肩部を介して口部を起立連設したボトル状の合成樹脂製ダイレクトブロー成形品であって、前記胴部の各稜線を同一の螺旋状に形成し、四つの前記稜線の内、対向した二つの稜線上にパーティングラインを位置させたブロー成形容器。
【請求項２】
全体を、妄りに撓み変形しない硬さを発揮する肉厚とした、請求項１に記載のブロー成形容器。
【請求項３】
全体を、透明もしくは半透明とした請求項１または２に記載のブロー成形容器。
【請求項４】
底部の底面に残存形成される、食い切り跡である四本の食い切り線を十文字に配列し、該食い切り線の直線状に配列した一対のそれぞれを、二つの対角線上に位置させ、さらに該二つの対角線の一つを、パーティングライン上に位置させた請求項１〜３のいずれか１項に記載のブロー成形容器。
【請求項５】
下端を底部で塞いだ四角筒状の胴部の上端に、肩部を介して口部を起立連設した構造を有し、ブロー金型から離型後の、熱変形可能な温度となっている離型成形品に対し、該離型成形品の肩部と底部との間に、前記離型成形品の仮想される中心軸を軸として、所望中心角度の「ひねり」変位を与えて、前記胴部を螺旋筒状に成形するブロー成形品の成形方法。
【請求項６】
離型成形品の肩部と底部に付着しているパリソン切除部を支持して、前記肩部と底部との間に「ひねり」変位を与える請求項５に記載のブロー成形品の成形方法。
【発明の詳細な説明】
【技術分野】
【０００１】
本発明は、ダイレクトブロー成形方法により成形された合成樹脂製ブロー成形容器と、その成形方法に関するものである。
【背景技術】
【０００２】
ダイレクトブロー成形方法は、特開平０７−２１４６５３号公報に示されているように、押出し機から押し出された筒状のパリソンを、ブロー金型の一対の割り金型で挟み込み、この挟み込んだパリソンを容器にブロー成形する。
【特許文献１】特願平０７−２１４６５３号公報
【０００３】
成形されるブロー成形品は、開閉する一対の割り金型からの離型の関係から、離型の際に金型に引っ掛かる部分を有さない構造に制限される。
【発明の開示】
【発明が解決しようとする課題】
【０００４】
このように、従来のブロー成形品は、離型の際に金型に引っ掛かる部分を有さない構造に制限されるので、全体形状に変化が乏しくなりがちとなり、このため外観体裁が面白味に欠ける不満がある、と云う問題があった。
【０００５】
そこで、本発明は、上記した従来技術における問題点を解消すべく創案されたもので、ダイレクトブロー成形品の胴部を、離型の際に金型に引っ掛かるかも知れない部分を有することになる、四角螺旋筒状に構成することを技術的課題とし、もって四角螺旋筒体の外観体裁の面白味を、容器の外観体裁として有効に発揮できるようにすることを目的とする。
【課題を解決するための手段】
【０００６】
本発明による合成樹脂製ダイレクトブロー成形容器の主たる構成は、下端を底部で塞いだ四角筒状の胴部の上端に、肩部を介して口部を起立連設した合成樹脂製ダイレクトブロー成形品において、胴部の各稜線を同一の螺旋状に形成したことにあり、この四つの稜線の内、対向した二つの稜線上にパーティングラインを位置させたものとなっている。
【０００７】
すなわち、胴部は四角螺旋筒状となっているので、その外観体裁に、「ねじれ」から受ける動的な要素、すなわち同一平面でも，その場所が異なることによる外観体裁の変化が発揮される。
【０００８】
胴部におけるパーティングラインは、胴部に形成される四つの稜線の内、対向した二つの稜線上に位置しているので、稜線が形成する角部と重なった状態となり、このためパーティングラインが胴部の外観として目立つことが無い。
【０００９】
本発明の別の構成は、上記した主たる構成に加えて、全体を、妄りに撓み変形しない硬さを発揮する肉厚とした、と云うものである。
【００１０】
全体を、妄りに撓み変形しない硬さを発揮する肉厚としたものにあっては、成形品全体に、ガラスや陶磁器に似た質感を与えることができる。
【００１１】
また、本発明の別の構成は、上記した主たる構成に加えて、全体を、透明もしくは半透明とした、と云うものである。
【００１２】
全体を、全体を、透明もしくは半透明としたものにあっては、四角筒と云う角のある構造と、透明もしくは半透明と云う組合せにより、成形品に、光学的にクリスタル効果を現出させることができ、特に肉厚を大きくしたものとの組合せにおいては、ガラス瓶に似た質感を現出することができる。
【００１３】
また、本発明の別の構成は、上記した主たる構成に加えて、底部の底面に残存形成される、食い切り跡である四本の食い切り線を十文字に配列し、この食い切り線の直線状に配列した一対のそれぞれを、二つの対角線上に位置させ、さらにこの二つの対角線の一つを、パーティングライン上に位置させた、と云うものである。
【００１４】
四本の食い切り線を十文字に配列し、二つの対角線上に位置させ、二つの対角線の一つを、パーティングライン上に位置させたものにあっては、各食い切り線の先端付近に位置したパリソン部分は、大きく延伸変位することなく、底部の角部に局部延伸成形されることになり、この角部部分における局部延伸変形による肉薄化を、充分に抑えることができる。
【００１５】
このように、角部部分における肉薄化を充分に抑えることができるので、胴部の肉厚の均一化、特に稜線部分の肉厚の均一化を得ることができる。このため、胴部を「ひねり」変形させた際は、均等な「ひねり」変形を得ることができる。
【００１６】
本発明による合成樹脂製ダイレクトブロー成形容器の成形方法の、主たる構成は、下端を底部で塞いだ四角筒状の胴部の上端に、肩部を介して口部を起立連設した構造を有し、ブロー金型から離型後の、熱変形可能な温度となっている離型成形品に対し、この離型成形品の肩部と底部との間に、離型成形品の仮想される中心軸を軸として、所望中心角度の「ひねり」変位を与えて、胴部を螺旋筒状に成形する、と云うものである。
【００１７】
離型成形品における胴部は、直線四角筒形状をしているので、この離型成形品を成形するためのブロー金型は、通常の割り金型構造でよく、特殊な金型構造とする必要がない。
【００１８】
また、離型成形品の胴部の螺旋筒状への成形は、この離型成形品の胴部に「ひねり」変位を与えることにより達成するので、胴部の螺旋程度を自由にかつ簡単に設定することが可能となる
【００１９】
本発明による合成樹脂製ダイレクトブロー成形容器の成形方法の別の構成は、上記した主たる構成に加えて、離型成形品の肩部と底部に付着しているパリソン切除部を支持して、肩部と底部との間に「ひねり」変位を与える、と云うものである。
【００２０】
パリソン切除部を支持して、肩部と底部との間に「ひねり」変位を与えるものにあっては、不用成形部分で、成形品完成時には除去されるパリソン切除部を、胴部を「ひねり」変形させるための外力の作用部分としているので、この「ひねり」のための外力の「作用痕」が生じたとしても、この「作用痕」による不良品の発生はない。
【００２１】
「ひねり」のための外力の作用部分は、パリソン切除部に特定されると云うことはなく、離型成形品の一部（例えば口部や底部）であっても良いし、パリソン切除部と離型成形品の一部との組合せでも良い。
【発明の効果】
【００２２】
本発明は、上記した構成となっているので、以下に示す効果を奏する。
本発明の主たる構成を有するものにあっては、胴部におけるパーティングラインは、稜線の角部と重なって胴部の外観として目立つことが無いので、胴部が螺旋筒状であっても、パーティングラインが外観体裁を劣化させる恐れのない、ブロー成形容器を得ることができる。
【００２３】
全体を、妄りに撓み変形しない硬さを発揮する肉厚としたものにあっては、成形品全体に、ガラスや陶磁器に似た質感を与えることができるので、高級感に富んだブロー成形容器とすることができる。
【００２４】
全体を、全体を、透明もしくは半透明としたものにあっては、四角筒と云う角のある構造と、透明もしくは半透明と云う組合せにより、成形品に、光学的にクリスタル効果を現出させることができ、特に肉厚を大きくしたものとの組合せにおいては、ガラス瓶に似た質感を現出することができるので、変化に富んだクリスタル装飾効果を現出することができる。
【００２５】
四本の食い切り線を十文字に配列し、二つの対角線上に位置させ、二つの対角線の一つを、パーティングライン上に位置させたものにあっては、底部の角部部分における局部延伸変形による肉薄化を、充分に抑えることができるので、極端に肉薄な底部角部が、容器の外観体裁に悪影響を与える恐れがない。
【００２６】
また、胴部を「ひねり」変形させた際に、均等な「ひねり」変形を得ることができるので、正確に軸対象となって、外観体裁の良い四角螺旋筒状の胴部を成形することができる。
【００２７】
本発明の成形方法の主たる構成を有するものにあっては、離型成形品を成形するためのブロー金型は、通常の割り金型構造でよく、特殊な金型構造とする必要がないので、成形が簡単であると共に、安価に成形することができる。
【００２８】
また、離型成形品の胴部の螺旋筒状への成形は、自由にかつ簡単に達成することができるので、その実施が容易である。
【００２９】
パリソン切除部を支持して、肩部と底部との間に「ひねり」変位を与えるものにあっては、胴部を「ひねり」変形させるための外力の「作用痕」が生じたとしても、この「作用痕」による不良品の発生はないので、螺旋四角筒状の胴部を有するブロー成形容器を安全に成形することができる。
【発明を実施するための最良の形態】
【００３０】
以下、本発明の実施形態例を、図１〜図７を参照しながら説明する。
【００３１】
図１〜図５は、本発明の一実施形態例の構造を示すもので、下端を底部６で塞いだ正四角筒状の胴部３の上端に、肩部２を介して、外周面に螺条を刻設した円筒状の口部１を、起立連設して構成されており、全体を透明に、かつ妄りに撓み変形しないように肉厚に成形されている。
【００３２】
胴部３は、四つの各稜線５を同一の螺旋状とした四角螺旋筒状となっていて、各稜線５および筒面４は、仮想される中心軸を対称軸として、対向する稜線５同士および筒面４が軸対称に位置している。
【００３３】
この四つの稜線５の内、対向した二つの稜線５上には、容器をダイレクトブロー成形する際の、金型合せ面跡であるパーティングラインＰが位置しているが、このパーティングラインＰは、稜線５の角部と重なった状態となるので、外観上全く目立つことがなく、胴部３のパーティングラインＰが、容器の外観体裁を劣化させることはない。
【００３４】
底部６は、その主体部分である底壁の下面である底面７を、なだらかに湾曲したわずかに陥没することにより、周囲に脚部９を形成する凹曲面としており、この底面７にはパリソンの食い切り跡である四本の食い切り線８が、残存した状態で形成されている。
【００３５】
各食い切り線８（以下、図１と図５参照）は、十文字状に配列されており、直線状に並べられた一対の食い切り線８のそれぞれは、正四角形状の底面７の、仮想される別々の対角線ｔ上に位置しており、そして一つの対角線ｔは、パーティングラインＰ上に位置している。
【００３６】
この実施形態例におけるブロー成形容器は、ダイレクトブロー成形法によって得られたものであり、パリソン１５を押出機よりダイスを介して押し出し、このパリソン１５を２分割の割金型が型締めして挟み込み、この割金型のキャビティーの底辺に配設の刃部であるピンチオフ部でパリソン１５の下部を、食い切り状に押し潰すと共に熱溶着シールし、金型の上部ではパリソンカッターで筒状のパリソンの上部を切断することで、有底筒体のパリソン１５を形成し、次いで割金型の頂部より挿入のエアーノズルによってブローエアーを、パリソン１５に吹き込み、ブロー成形する。
【００３７】
この際、ピンチオフ部でパリソン１５の本体部分から食い切り状に区画されたパリソン１４の上下両端部分は、このパリソン１５の本体部分に付着した状態でパリソン切除部１２（図７参照）となっており、このパリソン切除部１２は、ダイレクトブロー成形が完了して離型された離型成形品１１（図７参照）から、もぎ取り状に除去される。
【００３８】
ここで、ブロー成形金型のうち、ブロー成形容器の底部６を成形する部分を４分割した、底割金型１３（図６参照）を使用することにより、十文字状の喰い切り線８を形成することができる。ブロー成形容器の底部６以外の部分、すなわち胴部３、肩部２そして口部１に相当する部分を形成する本体割金型は、従来どおり２分割したものを使用する。
【００３９】
図６は、それぞれが刃部であるピンチオフ部１４を有した、４分割の底割金型１３によるパリソン１５のピンチオフ工程を底面図で示した説明図であり、まず４分割された底割金型１３のそれぞれのコーナー部が、パリソン１５に対向し（図６（ａ））、さらにパリソン１５の中心軸方向に移動し（図６（ｂ））、パリソン１５が十文字状にピンチオフされ（図６（ｃ））、結果としてパリソン１５の底部６の底面７に十文字状の喰い切り線８が形成される。なお、図６に２点鎖線で示したのは、パーティングラインＰである。
【００４０】
このように、パリソン１５を、四つのピンチオフ部１４で十文字状に食い切り保持した状態でブロー成形すると、成形される脚部９の内、四つの「辺」部分は、仮想される延伸中心軸からの距離が小さいので、大きく肉厚を減少させることなくブロー成形される（図５参照）のに対し、この「辺」部分に比べて延伸中心軸からの距離が大きい角部１０であっても、ピンチオフ部１４により成形される食い切り線８の先端に近く位置することになるので、実質的な延伸量が小さくなり、これにより肉厚の減少程度が小さく抑えられている。
【００４１】
パリソン１５の肉厚を大きくしてガラス瓶感を現出させたい場合、肉厚の減少程度が小さく抑えられるので、底部６における肉厚の変化を抑制して、肉厚の均一化が或る程度得られるので、この底部６における肉厚の変化が、容器の外観体裁に悪影響を与えることがなくなる。
【００４２】
特に、内容液として、容器とは異なる色の透明な内容液を収納した場合、色違いの内容液により、底部６の肉厚変化が、そのまま視覚できることになるが、このような場合でも、底部６の肉厚変化が小さいので、これが外観体裁を悪くすることがない。
【００４３】
図７は、本発明の容器を成形する方法を説明するのに供する、離型成形品１１を示すもので、離型成形品１１は、下端を底部６で塞いだ四角筒状の胴部３の上端に、肩部２を介して口部１を起立連設した構造を有し、その肩部２から口部１にかけての部分、および底部６に、それぞれパリソン切除部１２が、肉薄な破断部を介して付着している。
【００４４】
この離型成形品１１は、ブロー金型から離型後の熱変形可能な温度となっていて、離型成形品１１の成形品部分と、パリソン切除部１２との間に形成される肉薄な破断部は、底割金型１３のピンチオフ部１４、およびブロー割り金型のピンチオフ部で成形される。
【００４５】
この離型成形品１１の上下の両パリソン切除部１２を支持して、成形品部分の肩部２と底部６との間に、成形品部分の仮想される中心軸を軸として、所望中心角度の「ひねり」変位を与え、これにより成形品部分の胴部３を螺旋四角筒に成形する。
【００４６】
図示実施形態例の場合、「ひねり」変位角度は４５°とかなり大きいが、何ら不都合を生じることなく、確実で安定した成形を得ることができた。
【００４７】
パリソン１５の肉厚が３ｍｍとし、底部６の食い切り線８の先端が、ほぼ脚部９の角部１０間近に位置させた程度の延伸倍率で、無色透明の容器を成形し、この容器内に有色透明な内容液を収納したところ、胴部３の各稜線５が位置する角部部分に、不規則な透過光により歪んだクリスタル模様が現出され、動的で深みのある光学的装飾効果を得ることができた。
【産業上の利用可能性】
【００４８】
以上説明したように、本発明のダイレクトブロー成形容器は、胴部を螺旋四角筒状とすることにより、容器の外観体裁に新規で面白味のある装飾を与えることができるものであり、胴部の形状そのものに、新規な外観体裁を求まられる容器として、幅広い利用展開が期待できる。
【図面の簡単な説明】
【００４９】
【図１】本発明の第一の実施形態例を示す、全体外観斜視図である。
【図２】図１に示した実施形態例の、正面図である。
【図３】図１に示した実施形態例の、側面図である。
【図４】図１に示した実施形態例の、平面図である。
【図５】図１に示した実施形態例の、底面図である。
【図６】パリソンの食い切り動作を説明する、動作説明図である。
【図７】本発明の成形方法の説明に供する、全体正面図である。
【符号の説明】
【００５０】
１    ；口部
２    ；肩部
３    ；胴部
４    ；筒面
５    ；稜線
６    ；底部
７    ；底面
８    ；食い切り線
９    ；脚部
１０  ；角部
１１  ；離型成形品
１２  ；パリソン切除部
１３  ；底割金型
１４  ；ピンチオフ部
１５  ；パリソン
ｔ          ；対角線
Ｐ          ；パーティングライン
【図１】
0005246480.tif 000002
【図２】
0005246480.tif 000003
【図３】
0005246480.tif 000004
【図４】
0005246480.tif 000005
【図５】
0005246480.tif 000006
【図６】
0005246480.tif 000007
【図７】
0005246480.tif 000008